(57)【特許請求の範囲】
【請求項１】
ユーザーの印刷要求に応じて画像形成を行う画像形成装置であって、
前記印刷要求の画像データ、及び印刷要求を行ったユーザーのユーザー情報が埋め込まれた出力者ユーザー情報パターンを記録紙に画像形成する手段と、
筐体の正面側に開口を有する空間内に配置された排紙トレイと、
前記記録紙を前記排紙トレイへ排出する排紙手段と、
前記排紙トレイと前記開口との間の前記空間内で上下に配置された一対の情報読み取り手段と、
前記一対の情報読み取り手段の間を通り、前記開口から取り出された前記記録紙から前記一対の情報読み取り手段により読み取られた前記出力者ユーザー情報パターンに基づいて、前記ユーザー情報を表示する表示手段と
を有することを特徴とする画像形成装置。
【請求項２】
請求項１に記載された画像形成装置において、
前記出力者ユーザー情報パターンには、前記ユーザー情報として前記印刷要求の出力枚数が埋め込まれていることを特徴とする画像形成装置。
【請求項３】
請求項１に記載された画像形成装置において、
前記表示手段は、画像による表示を行う画像表示手段であることを特徴とする画像形成装置。
【請求項４】
請求項１に記載された画像形成装置において、
前記表示手段は、音声による表示を行う音声出力手段であることを特徴とする画像形成装置。
【請求項５】
請求項１乃至４のいずれかに記載された画像形成装置において、
前記画像形成する手段は、前記出力者ユーザー情報パターンを前記記録紙の表裏両面に画像形成することを特徴とする画像形成装置。
【請求項６】
請求項５に記載された画像形成装置において、
前記画像形成する手段は、前記出力者ユーザー情報パターンに加えて、全枚数中の用紙位置を示す用紙位置情報を先頭頁の表面及び最後部頁の裏面に画像形成し、
先頭頁の表面に画像形成された前記情報、並びに最後部頁の裏面に画像形成された前記情報が前記情報読み取り手段から読み込まれたか否かに基づいて、先頭頁側、最後部頁側の記録紙の取り出しの誤りの有無を判定する取り出し誤り判定手段と、前記記録紙の取り出しの誤りが有ることを表示する誤り表示手段とを有することを特徴とする画像形成装置。
【請求項７】
請求項５に記載された画像形成装置において、
前記画像形成する手段は、前記出力者ユーザー情報パターンに加えて、全枚数中の用紙位置を示す用紙位置情報を全頁の表面及び裏面に画像形成し、
前記情報読み取り手段から読み込まれた記録紙の表面の情報及び裏面の情報に基づいて、先頭頁側、最後部頁側の記録紙の取り出しの誤りの過不足枚数を判定する取り出し誤り判定手段と、その取り出し誤り判定手段の判定結果を表示する誤り表示手段とを有することを特徴とする画像形成装置。
【請求項８】
請求項２乃至７のいずれかに記載された画像形成装置において、
前記排紙トレイ上に残留している記録紙の印刷要求毎の枚数及び出力者名を表示する出力記録紙残留情報表示手段を有することを特徴とする画像形成装置。
【請求項９】
ユーザーの印刷要求に応じて画像形成を行う画像形成装置における画像形成済み記録紙の取り出し照合方法であって、
前記印刷要求の画像データ、及び印刷要求を行ったユーザーのユーザー情報が埋め込まれた出力者ユーザー情報パターンを記録紙に画像形成する工程と、
前記画像形成済みの記録紙を筐体の正面側に開口を有する空間内に配置された排紙トレイに排出する工程と、
前記排紙トレイと前記開口との間の前記空間内で上下に配置された一対の情報読み取り手段の間を通り、前記開口から取り出された前記記録紙から前記一対の情報読み取り手段により、前記出力者ユーザー情報パターンを読み取る工程と、
前記読み取った出力者ユーザー情報パターンに基づいて、前記ユーザー情報を表示する工程と
を有することを特徴とする画像形成済み記録紙の取り出し照合方法。
【請求項１０】
ユーザーの印刷要求に応じて画像形成を行う画像形成装置に、請求項９の画像形成済み記録紙の取り出し照合方法の各工程を実行させるための制御プログラム。
【発明の詳細な説明】
【技術分野】
【０００１】
本発明は、画像形成装置、画像形成済み記録紙の取り出し照合方法、及び制御プログラムに関する。
【背景技術】
【０００２】
近年、プリンタ、デジタル複合機（ＭＦＰ：Multi Function Peripherals）などの画像形成装置は、ＰＣ（パーソナルコンピュータ）などの情報処理装置から送信された印刷ジョブをネットワーク経由で受信し、その印刷ジョブの画像データを基に記録紙に画像形成（印刷）を行い、排紙トレイに排紙するように構成されている。
【０００３】
一般にオフィスでは多数の人間が同じ画像形成装置から各々の印刷物を出力するが、それらの印刷物の中には機密を含む文書も存在する。また、画像形成装置がＰＣから離れた場所に設置されており、かつ複数のＰＣからの印刷ジョブを処理する場合は、印刷要求から印刷終了までの時間が長くなることが多い。このため、機密文書が排紙トレイに放置されたままになったり、他人に取り違えて持ち去られたりすることがある。
【０００４】
このような問題に対処した画像形成装置として、複数のユーザーから印刷要求を受けて印刷した印刷結果を複数の排紙スタッカへ出力する画像形成装置であって、前記複数の排紙スタッカの各々をロックするために設けられた複数のロック手段と、前記複数の排紙スタッカ内の前記印刷結果の取り忘れを表示するため前記複数の排紙スタッカの各々に設けられた複数の取り忘れ表示手段と、前記複数の排紙スタッカの内の利用可能な排紙スタッカを選択する選択手段と、前記選択された排紙スタッカに前記印刷結果を排紙する排紙手段と、前記選択された排紙スタッカに所定の認証を割り当て、その認証を印刷要求を発した人物宛てに送る手段と、前記画像形成装置の一定距離以内にいるユーザーから発信されている固体識別電波を受信する受信手段と、その固体識別電波からユーザーを特定し、前記ユーザーと前記印刷要求を発した人物との一致を確認する確認手段と、前記照合により前記ユーザーと前記印刷要求を発した人物が一致した場合、前記印刷結果の排紙された排紙スタッカに設けられた、取り忘れ表示手段を一定時間表示させる表示制御手段と、を具備し、前記印刷要求を発した人物の有する前記認証により前記印刷結果の排紙された排紙スタッカに設けられたロック手段のロックを解除することを特徴とする画像形成装置がある（特許文献１参照）。
【０００５】
しかしながら、この画像形成装置では、排紙トレイ（スタッカ）毎にユーザーを割り当てると共に、排紙トレイ毎に取り忘れ表示手段を設けることにより、印刷結果を取り忘れているユーザーを特定しているため、メカ的にスペースを要し、また、ユーザー数の制限が発生するという問題がある。さらに、排紙スタッカ毎にロック手段が設けられているため、利便性が悪く、コストが高いという問題もある。
【発明の概要】
【発明が解決しようとする課題】
【０００６】
本発明は、上記従来の問題を解決するためになされたものであって、その目的は、ユーザーの印刷要求に応じて画像を形成した記録紙を排紙トレイに排出する画像形成装置において、ユーザー毎に排紙トレイを設け、排紙トレイ毎にロック手段を設ける必要を無くすことである。
【課題を解決するための手段】
【０００７】
本発明は、ユーザーの印刷要求に応じて画像形成を行う画像形成装置であって、前記印刷要求の画像データ、及び印刷要求を行ったユーザーのユーザー情報が埋め込まれた出力者ユーザー情報パターンを記録紙に画像形成する手段と、筐体の正面側に開口を有する空間内に配置された排紙トレイと、前記記録紙を前記排紙トレイへ排出する排紙手段と、前記排紙トレイと前記開口との間の前記空間内で上下に配置された一対の情報読み取り手段と、前記一対の情報読み取り手段の間を通り、前記開口から取り出された前記記録紙から前記一対の情報読み取り手段により読み取られた前記出力者ユーザー情報パターンに基づいて、前記ユーザー情報を表示する表示手段とを有することを特徴とする画像形成装置である。
また、本発明は、ユーザーの印刷要求に応じて画像形成を行う画像形成装置における画像形成済み記録紙の取り出し照合方法であって、前記印刷要求の画像データ、及び印刷要求を行ったユーザーのユーザー情報が埋め込まれた出力者ユーザー情報パターンを記録紙に画像形成する工程と、前記画像形成済みの記録紙を筐体の正面側に開口を有する空間内に配置された排紙トレイに排出する工程と、前記排紙トレイと前記開口との間の前記空間内で上下に配置された一対の情報読み取り手段の間を通り、前記開口から取り出された前記記録紙から前記一対の情報読み取り手段により、前記出力者ユーザー情報パターンを読み取る工程と、前記読み取った出力者ユーザー情報パターンに基づいて、前記ユーザー情報を表示する工程とを有することを特徴とする画像形成済み記録紙の取り出し照合方法である。
また、本発明は、本発明の画像形成済み記録紙の取り出し照合方法の各工程を実行させるための制御プログラムである。
【発明の効果】
【０００８】
本発明によれば、ユーザーの印刷要求に応じて画像を形成した記録紙を排紙トレイに排出する画像形成装置において、ユーザー毎に排紙トレイを設け、排紙トレイ毎にロック手段を設ける必要を無くすことができる。
【図面の簡単な説明】
【０００９】
【図１】本発明の第１の実施形態の画像形成装置のブロック図である。
【図２】本発明の第１の実施形態の画像形成装置の利用環境を示す図である。
【図３】本発明の第１の実施形態の画像形成装置の排紙トレイの構造を説明するための図である。
【図４】本発明の第１の実施形態の画像形成装置の排紙トレイ及び排出された先頭頁及び最後部頁の記録紙を示す図である。
【図５】本発明の第１の実施形態の画像形成装置の排紙トレイから記録紙を取り出す様子を示す図である。
【図６】本発明の第１の実施形態の画像形成装置の動作を示すフローチャートである。
【図７】図６に示すフローの実行時に操作パネル部に表示される画像の一例を示す図である。
【図８】本発明の第２の実施形態の画像形成装置の動作を示すフローチャートである。
【図９】図８に示すフローの実行時に操作パネル部に表示される画像の一例を示す図である。
【図１０】図８に示すフローの実行時に操作パネル部に表示される画像の別の一例を示す図である。
【図１１】図８に示すフローの実行時に操作パネル部に表示される画像のさらに別の一例を示す図である。
【図１２】本発明の第３の実施形態の画像形成装置の動作を示すフローチャートである。
【図１３】図１２に示すフローの実行時に操作パネル部に表示される画像の一例を示す図である。
【発明を実施するための形態】
【００１０】
以下、本発明の実施形態について図面を参照しながら説明する。
［第１の実施形態］
〈画像形成装置のブロック図〉
図１は本発明の第１の実施形態の画像形成装置のブロック図である。この画像形成装置はデジタル複合機であり、それぞれがバス１０に接続された本体エンジン部１、制御部２、メモリ部３、Ｉ／Ｆ（インタフェース）部４、操作パネル部５、パターン検知部６、及び画像制御部７を備えている。
【００１１】
本体エンジン部１は、一般的なデジタル複合機本体の機能である、自動原稿搬送部（ＡＤＦ）、スキャナ部、転写紙給紙部、画像転写部、画像感光部、画像定着部、転写紙出力部、エンジン制御電装部を備えている。
【００１２】
制御部２は、装置全体の制御を行うＣＰＵ（Central Processing Unit）、ＡＳＩＣ（Application Specific Integrated Circuit）等を具備している電装コントローラ部、操作パネル部画面の制御、Ｉ／Ｆ部４を介して接続されている上位装置へのメール送信制御（送信及び送信回数検知）、印刷要求元に対するユーザー認証手続き、ユーザー認証を許可された印刷ジョブのユーザー情報の画像制御部７への転送を行う。また、時計機能（ＲＴＣ：Real Time Clock）も具備しており、画像出力後の出力記録紙取り出し照合待ちの未取り出しステータス文書数の管理、未取り出し照合待ち時間のカウント、操作パネル部５への表示時間のカウントを行う。また、排紙トレイの排紙トレイ用紙有無検知部からの排紙トレイの用紙有無検知情報を受け、出力記録紙の「未取り出し」ステータスの解除／非解除とそれに伴うメール通知も行う。
【００１３】
メモリ部３には、制御部２の実行プログラム格納のためのＲＯＭ（Read Only Memory）領域、プログラム実行のワークメモリエリア及び画像生成、合成時の画像データの一時保存エリア（ＲＡＭ：Random Access Memory）、ユーザー認証において機器使用を許可されたユーザーの登録情報（利用者名、ユーザーＩＤ、ユーザーの利用パスワード、ユーザーのホストＰＣ名称、ユーザーのメールアドレス、ＦＡＸ送受信相手先名等）を格納するためのＮＶＲＡＭ（Non Volatile Random Access Memory）領域がある。
【００１４】
Ｉ／Ｆ部４は外部Ｉ／Ｆ（例．ＩＥＥＥ１２８４、ＵＳＢ、Ethernet（登録商標））を具備している。操作パネル部５は、出力記録紙の取り出し照合結果（出力者、印刷ファイル情報）、ＦＡＸ受信出力記録紙の取り出し照合結果（送信者、受信者、取り出し時間）を表示する。また音声出力部を備えている。パターン検知部６は、出力記録紙上の出力者ユーザー情報パターン（印刷要求を行ったユーザーの識別情報及び印刷要求枚数等を示すバーコード等）を読み取り、画像制御部７に転送する。
【００１５】
画像制御部７では、ユーザー認証を許可された印刷ジョブにおける出力者ユーザー情報パターン作成及び元画像への合成を行う。また、パターン検知部６で検知された出力者ユーザー情報パターンを解析し、ユーザー情報への変換を行い、制御部２に転送する。また、その逆に印刷要求があった際、制御部２経由で送られてくる印刷要求元のユーザー情報をユーザー情報パターンに変換し、印刷要求元からの印刷画像に合成する。その際の画像合成作業はメモリ部３を利用して行う（画像合成前後の画像の一時保存）。
【００１６】
〈デジタル複合機の利用環境〉
図２に本実施形態のデジタル複合機の利用環境を示す。図示のように、デジタル複合機２００は、ＬＡＮ（Local Area Network）等のネットワーク１００を介して上位装置であるＰＣ３００、ＰＣ４００、及びＰＣ５００に接続されている。デジタル複合機２００は図１に示す構成を有しており、各ＰＣとの間でＩ／Ｆ部４を通して前述した動作を行う。
【００１７】
〈排紙トレイの構造〉
図３は、図１のデジタル複合機の本体エンジン部１に設けられた胴内排紙トレイの構造を説明するための図である。ここで、図３Ａは装置の正面側の外観及び胴内排紙トレイを示し、図３Ｂは図３ＡにおけるＹ−Ｙ’断面を左側から見た図であり、図３Ｃは図３ＡにおけるＸ−Ｘ’断面を上から見た図である。
【００１８】
胴内排紙トレイ２０１は、デジタル複合機の胴内（筐体内）の垂直方向の上部、水平方向の中央部に配置されており、印刷済みの記録紙が胴内排紙トレイ２０１上に載せられて出力記録紙２１１となる。胴内排紙トレイ２０１の正面側の右端付近の前方（ユーザーから見て手前の方向）には、出力記録紙２１１に印刷された出力者ユーザー情報パターンを読み取るための出力者ユーザー情報パターン検知部２０２，２０３が設けられている。ここで、出力者ユーザー情報パターン検知部２０２は出力記録紙２１１の下面（表面）に印刷されたユーザー情報パターンを読み取り、出力者ユーザー情報パターン検知部２０３は出力記録紙２１１の上面（裏面）に印刷された出力者ユーザー情報パターンを読み取るように、それぞれ出力記録紙２１１の手動取り出し経路の下、上に配置されている（詳細に
ついては後述）。
【００１９】
〈胴内排紙トレイ２０１と出力記録紙２１１との関係〉
図４は、胴内排紙トレイ２０１に排出された印刷ジョブの先頭頁（１枚目）及び最後部頁（最後の１枚）の記録紙を示す図である。ここで、図４Ａは先頭頁の出力記録紙２１１Ｓの表面を示し、図４Ｂは最後部頁の出力記録紙２１１Ｅの裏面を示す。図４Ｂの文字”Ｚ”を点線で表示した理由は、それが表面に印刷されているからである。また、図４Ｃ、Ｄは出力記録紙２１１Ｓ乃至２１１Ｅが胴内排紙トレイ２０１に載っている状態を、それぞれ胴内排紙トレイ２０１の正面、上面から見た図である。
【００２０】
図４Ａに示すように、出力記録紙２１１Ｓには、本来ユーザーが所望する画像（ここでは文字“Ａ”）の他、出力者（印刷要求者）のユーザー情報が埋め込まれた出力者ユーザー情報パターン（例えばバーコード）２２１が印字されている。出力者ユーザー情報には、出力記録紙２１１の出力者ＩＤ、出力日時、出力文書名、出力枚数がある。出力者ユーザー情報パターン２２１は、一つの印刷ジョブにより複数枚の印刷を行う場合、全ての出力記録紙の表面の右下端付近に印字される。
【００２１】
図４Ｂに示すように、出力記録紙２１１Ｅには、本来ユーザーが所望する画像（ここでは文字“Ｚ”）の他、出力者（印刷要求者）のユーザー情報が埋め込まれた出力者ユーザー情報パターン（例えばバーコード）２２２が印字されている。出力者ユーザー情報には、出力記録紙２１１の出力者ＩＤ、出力日時、出力文書名、出力枚数がある。出力者ユーザー情報パターン２２２は、一つの印刷ジョブにより複数枚の印刷を行う場合、全ての出力記録紙の裏面の左下端付近に印字される。なお、出力者ユーザー情報パターン２２１、２２２の内容は同じである。
【００２２】
出力者ユーザー情報パターン２２１の印字位置は出力者ユーザー情報パターン検知部２０２の配置位置に合わせる。出力記録紙２１１は、印刷面（表面）を下方に向けて胴内排紙トレイ２０１上に排紙される。先頭頁の出力記録紙２１１Ｓの表面に印字された出力者ユーザー情報パターン２２１は、出力記録紙２１１がユーザーにより図４Ｄの下方へ手動で取り出されるときに、出力者ユーザー情報パターン検知部２０２により読み取られる。
出力者ユーザー情報パターン検知部２０２は、胴内排紙トレイ２０１の正面側の右端付近の前方の手動取り出し経路に沿って、検知面を上向きにして配置されているので、出力者ユーザー情報パターン２２１を出力記録紙２１１の表面の下端（ここでは右下端）付近に印字している。
【００２３】
出力者ユーザー情報パターン２２２の印字位置は出力者ユーザー情報パターン検知部２０３の配置位置に合わせる。最後部頁の出力記録紙２１１Ｅの裏面に印字された出力者ユーザー情報パターン２２２は、出力記録紙２１１がユーザーにより図４Ｄの下方へ手動で取り出されるときに、出力者ユーザー情報パターン検知部２０３により読み取られる。出力者ユーザー情報パターン検知部２０３は、胴内排紙トレイ２０１の正面側の右端付近の前方の手動取り出し経路に沿って、検知面を下向きにして配置されているので、出力者ユーザー情報パターン２２２を出力記録紙２１１の裏面の下端（ここでは左下端）付近に印字している。
【００２４】
〈胴内排紙トレイ２０１から出力記録紙２１１を取り出す手順〉
図５は、ユーザーが胴内排紙トレイ２０１から出力記録紙２１１（２１１Ｓ乃至２１１Ｅ）を取り出す手順を示す図である。ここで、図５Ａは取り出し操作の開始前、図５Ｂは取り出し操作の初期、図５Ｃは取り出し操作の末期を示している。
【００２５】
出力記録紙２１１（２１１Ｓ乃至２１１Ｅ）を胴内排紙トレイ２０１から一緒に取り出す際、図５Ａに示すように、ユーザーは下端に位置する先頭頁の出力記録紙（２１１Ｓ）及び上端に位置する最後部頁の出力記録紙（２１１Ｅ）の側縁を手２３１でつかみ、図５Ｂ、Ｃに示すように手前に引くように取り出す。このとき、先頭頁の出力記録紙（２１１Ｓ）の表面に印字されている出力者ユーザー情報パターン２２１は出力者ユーザー情報パターン検知部２０２により読み取られ、最後部頁の出力記録紙（２１１Ｅ）の裏面に印字されている出力者ユーザー情報パターン２２２は出力者ユーザー情報パターン検知部２０３により読み取られる。デジタル複合機は、読み取った出力者ユーザー情報パターンを元に、装置内の制御を行う（詳細については後述）。
【００２６】
〈デジタル複合機の動作〉
図６は、本実施形態のデジタル複合機の動作を示すフローチャートである。
まずユーザーが、上位装置（図２のＰＣ３００又は４００又は５００）より、本人がユーザー登録により使用を許可されているデジタル複合機２００に対して印刷要求をした場合（ステップＳ１）、デジタル複合機２００側では、印刷要求元のユーザーに対してユーザー認証を行うため、メモリ部３に登録されているユーザー情報（利用者名、ユーザーＩＤ、ユーザーの利用パスワード、ユーザーのホストＰＣ名称、ユーザーのメールアドレス）を元に制御部２にてユーザー認証を行う（ステップＳ２）。
【００２７】
ユーザー認証手続きを失敗した場合（ステップＳ３：NO）、デジタル複合機２００は印刷要求元からの印刷要求を拒絶する（ステップＳ４）。ユーザー認証手続きが正常に完了した場合（ステップＳ３：YES）、デジタル複合機２００では、ユーザーが所望する画像（元画像）の他、画像制御部７でユーザー情報をバーコード化した、バーコード画像からなる出力者ユーザー情報パターンも記録紙に印刷し、胴内排紙トレイ２０１に排出する（ステップＳ５）。
【００２８】
次にデジタル複合機２００では、出力記録紙２１１の出力者ユーザー情報パターン２２１及び２２２が、それぞれ出力者ユーザー情報パターン検知部２０２及び２０３から読み込まれたか否かを判断する（ステップＳ６）。そして、読み込まれたと判断した場合（ステップＳ６：YES）、デジタル複合機２００はそれを「出力記録紙取り出し照合処理完了」として扱い、取り出し結果（出力者名、出力者ＩＤ、出力ファイル名、出力枚数）を操作パネル部５に表示し（ステップＳ７）、さらに出力者名及び印刷枚数を操作パネル部５の音声出力部から出力することで音声情報による通知を併せて行う（ステップＳ８）。
【００２９】
操作パネル部５に表示される画像の一例を図７に示す。ここでは、「排紙トレイから以下の出力記録紙が取り出されました！」とのメッセージ文の下に「出力者名：理光太郎」、「出力者ＩＤ：１２３４５６」、「出力ファイル名：＊＊＊＊＊」、「出力枚数：６枚」を表示し、さらに画面右下端付近に「『確認』ボタン」を表示している。この表示内容に対応する音声出力部からの通知は、例えば「理光太郎さん、６枚です。」である。
【００３０】
次にデジタル複合機２００では、操作パネル部５の「『確認』ボタン」が押下されたか否かを判断し（ステップＳ９）、押下された場合は（ステップＳ９：YES）、操作パネル部５の表示内容をリセットして通常の初期画面に戻す（ステップＳ１１）。また、照合後１０秒経過、即ちステップＳ７の直後から制御部２内のＲＴＣでカウントを始めてから１０秒経過しても「『確認』ボタン」が押下されなかった場合（ステップＳ１０：YES）も、操作パネル部５の表示内容をリセットして通常の初期画面に戻す（ステップＳ１１）。
【００３１】
以上、詳細に説明したように、本発明の第１の実施形態の画像形成装置は下記（１）及び（２）の特徴を備えている。
（１）出力記録紙２１１の取り出し照合時、操作パネル部５に出力者名及び出力枚数を表示するため、ユーザーはその場で出力枚数を確認し、取り出し忘れ分の取り出しや、過剰取り出し分の戻し等、取り出し誤りの修正をその場で実行可能である。
（２）出力者名及び出力枚数を音声で通知するため、目による操作パネル部５の表示内容の確認のみより、認知性を高めることができる。その結果、取り出し誤りの修正をその場で実施できる可能性が高まる。
【００３２】
なお、以上の実施形態では、一つの印刷ジョブにより複数枚の印刷を行う場合、全頁の出力記録紙の表面及び裏面に出力者ユーザー情報パターンを印字したが、全頁の出力記録紙の表面又は裏面のいずれか一方に印字し、それを読み取ることで、出力者名及び出力枚数を操作パネル部５に表示することもできる。また、以上の実施形態では、出力者ユーザー情報パターンに埋め込むユーザー情報を出力者ＩＤ、出力日時、出力文書名、出力枚数とし、操作パネル部５に表示する情報を出力者名、出力者ＩＤ、出力ファイル名、出力枚数としたが、出力者ユーザー情報パターンに埋め込むユーザー情報を出力者名、出力者ＩＤ、出力日時、出力文書名とし、操作パネル部５に表示する情報を出力者名、出力者ＩＤ、出力ファイル名とすることもできる。
【００３３】
［第２の実施形態］
本発明の第２の実施形態の画像形成装置のブロック図、利用環境、及び排紙トレイの構造等は第１の実施形態と同じである。第１の実施形態との相違は、出力記録紙の取り出しが正常に行われたか否かを判定し、正常に行われなかった場合に、ユーザーに通知する機能を有することである。以下、この機能を中心に説明する。
【００３４】
図８は、本実施形態のデジタル複合機の動作を示すフローチャートである。この図のステップＳ２１乃至２４は図６のステップＳ１乃至Ｓ４と同じであり、ステップＳ２５は図６のステップＳ５と基本的には同じである。ただし、ステップＳ２５では、一つの印刷ジョブにより複数枚の印刷を行う場合、全ての出力記録紙の表面及び裏面に出力者ユーザー情報パターンを印字するのみならず、出力者ユーザー情報が各頁の用紙位置情報（１枚目、２枚目等）を含む。
【００３５】
ステップＳ２６では、図６のステップＳ６と同様、出力者ユーザー情報パターンが出力者ユーザー情報パターン検知部２０２及び２０３から読み込まれたか否かを判断する。そして、読み込まれた場合は（ステップＳ２６：YES）、出力記録紙２１１の取り出しが正常に終了したか否かを判断する（ステップＳ２７）。
【００３６】
この判断は以下のようにして行う。図５を参照しながら説明したように、ユーザーが先頭頁の出力記録紙２１１Ｓ及び最後部頁の出力記録紙２１１Ｅを誤らずにつかんで取り出したことを検知したら、取り出しが正常に終了したと判断する。このため、出力者ユーザー情報パターン検知部２０２から読み込まれた出力者ユーザー情報パターン、及び出力者ユーザー情報パターン検知部２０３から読み込まれた出力者ユーザー情報パターンを比較することで、出力記録紙２１１の取り出しが正常に終了したか否かを判断する。
【００３７】
即ち、例えば出力者ユーザー情報パターン検知部２０２から読み込まれた出力者ユーザー情報パターンの出力者名、出力者ＩＤ、出力ファイル名、出力枚数、用紙位置情報がそれぞれ「理光太郎」、「１２３４５６」、「＊＊＊＊＊」、「６枚」、「１／６」であり、出力者ユーザー情報パターン検知部２０３から読み込まれた出力者ユーザー情報パターンの出力者名、出力者ＩＤ、出力ファイル名、出力枚数、用紙位置情報がそれぞれ「理光太郎」、「１２３４５６」、「＊＊＊＊＊」、「６枚」、「６／６」であれば、ユーザーは先頭頁の出力記録紙２１１Ｓ及び最後部頁の出力記録紙２１１Ｅを誤らずにつかんで取り出しており、出力記録紙２１１の取り出しが正常に終了したと判断する（ステップＳ２７：YES）。
【００３８】
一方、出力者ユーザー情報パターン検知部２０２から読み込まれた出力者ユーザー情報パターンと、出力者ユーザー情報パターン検知部２０３から読み込まれた出力者ユーザー情報パターンとを比較した結果、出力者ＩＤ或いは出力ファイル名が相違したり、それらは一致したものの用紙位置情報が「１／６」や「６／６」にならなかったりした場合は、出力記録紙２１１の取り出しが正常に終了しなかったと判断する（ステップＳ２７：NO）。
【００３９】
そして、出力記録紙２１１の取り出しが正常に終了したと判断した場合は、そのまま処理を終えるが、正常に終了しなかったと判断した場合は、以下のステップＳ２８乃至Ｓ３１を実行する。
【００４０】
ステップＳ２８では、出力記録紙の取り出しに誤りがあったことを操作パネル部５に表示する。図９乃至図１１に表示例を示す。
【００４１】
図９に示す表示例では、「取り出し誤り通知！！」とのタイトルの下に「取り出された以下の文書の先頭頁側で、取り出し誤りが発生しています！」とのメッセージ文を表示し、その下に出力者名、出力者ＩＤ、出力ファイル名、及び出力枚数を表示している。また、画面の右下端付近には「『確認』ボタン」を表示している。この表示例の場合、ユーザーである理光太郎さんは、先頭頁側で取り出しを誤ったことは分かるものの、その過不足数は分からない。
【００４２】
図１０に示す表示例は、「取り出し誤り通知！！」とのタイトルの下に「取り出された以下の文書について、先頭頁側：２枚多い！、最後部頁側：１枚少ない！」とのメッセージ文を表示し、その下に出力者名、出力者ＩＤ、出力ファイル名、及び出力枚数が表示している。また、画面の右下端付近には「『確認』ボタン」を表示している。この表示例の場合、ユーザーである理光太郎さんは、先頭頁側及び最後部頁側で取り出しを誤ったこと、及びその過不足数が分かる。
【００４３】
図１１に示す表示例は、図１０に示す表示例と同じ内容を異なる態様で表示したものである。即ち、画面の左右方向の中央部に、印刷ジョブ毎の出力記録紙の積載状態を示す図形を表示するとともに、今回取り出された記録紙の範囲を表示し、さらに先頭頁側が２枚多く、最後部頁側が１枚少ないことを表すメッセージ文を出力記録紙の積載状態を示す図形の右横に表示したものである。
【００４４】
次のステップＳ２９では、操作パネル部５の「『確認』ボタン」が押下されたか否かを判断し（ステップＳ２９）、押下された場合は（ステップＳ２９：YES）、操作パネル部５の表示内容をリセットして通常の初期画面に戻す（ステップＳ３１）。また、照合後１０秒経過、「『確認』ボタン」が押下されなかった場合（ステップＳ３０：YES）も、操作パネル部５の表示内容をリセットして通常の初期画面に戻す（ステップＳ３１）。
【００４５】
以上、詳細に説明したように、本発明の第２の実施形態の画像形成装置によれば、出力記録紙の表／裏の全紙面それぞれに出力者ユーザー情報パターンとして、用紙位置情報をも印字するので、ユーザーは先頭側、最後部側のそれぞれの取り出し誤り情報を把握でき、修正作業をより効率的に実施出来る。
【００４６】
なお、以上の説明では、出力記録紙の表／裏の全紙面それぞれに出力者ユーザー情報パターンとして、用紙位置情報を印字するものとしたが、図９の表示例については、出力記録紙の先頭頁の表面と最後部頁の裏面に印字することで実現できる。即ち、先頭頁の表面の出力者ユーザー情報パターンが読み込まれなければ、先頭頁側の取り出しに誤りがあり、最後部頁の裏面の出力者ユーザー情報パターンが読み込まれなければ、最後部頁側の取り出しに誤りがあると判断することができる。
【００４７】
［第３の実施形態］
本発明の第３の実施形態の画像形成装置のブロック図、利用環境、及び排紙トレイの構造等は第１の実施形態と同じである。本実施形態の特徴は排紙トレイ上に載っているユーザー毎の出力記録紙の位置関係を操作パネル部５に表示する機能を有することである。以下、この機能を中心に説明する。
【００４８】
図１２は、本実施形態のデジタル複合機の動作を示すフローチャートである。この図のステップＳ４１乃至４５は図６のステップＳ１乃至Ｓ５と同じである。次にユーザーが操作パネル部５の「『排紙トレイ出力状況確認』ボタン」を押下すると（ステップＳ４６）、デジタル複合機では、操作パネル部５に出力記録紙の残留状況を表示する（ステップＳ４７）。
【００４９】
図１３に表示例を示す。ここでは、「出力記録紙残留情報」とのタイトルの下に、印刷枚数、出力者名、出力ファイル名を表形式で表示している。表の上下方向は排紙トレイ上の出力記録紙の上下位置と対応する。各出力者は表を見ることで、自分のファイルの枚数及び排紙トレイ上の位置が分かる。
【００５０】
以上のように、本発明の第３の実施形態の画像形成装置によれば、出力記録紙取り出し照合待ちの排紙トレイ上の出力記録紙の積載情報を表示することで、ユーザーが照合作業（第１の実施形態、第２の実施形態参照）をする際、自分の出力記録紙をどのあたりから探せば良いかの目安となり、取り出し照合作業をより効率的に実施出来る。
【符号の説明】
【００５１】
１・・・本体エンジン部、２・・・制御部、３・・・メモリ部、４・・・Ｉ／Ｆ部、５・・・操作パネル部、６・・・パターン検知部、７・・・画像制御部、２００・・・デジタル複合機、２０１・・・胴内排紙トレイ、２０２，２０３・・・出力者ユーザー情報パターン検知部、２１１・・・出力記録紙、２２１，２２２・・・出力者ユーザー情報パターン、３００，４００，５００・・・ＰＣ。
【先行技術文献】
【特許文献】
【００５２】
【特許文献１】特開２００８−２２９９１３号公報
【図１】
0005866862.tif 000002
【図２】
0005866862.tif 000003
【図３】
0005866862.tif 000004
【図４】
0005866862.tif 000005
【図５】
0005866862.tif 000006
【図６】
0005866862.tif 000007
【図７】
0005866862.tif 000008
【図８】
0005866862.tif 000009
【図９】
0005866862.tif 000010
【図１０】
0005866862.tif 000011
【図１１】
0005866862.tif 000012
【図１２】
0005866862.tif 000013
【図１３】
0005866862.tif 000014